(57)【要約】【課題】            本機能靴は、家具の隙間に足指を入れ、足指で支持する力で上体起こしを行うことができるようにすることを目的とする。【解決手段】        人の足で力を発揮することができる足指の基底部を、力に活用するように、靴自体に足指基底部を含む足の甲が支持することができる部分を形成し、靴が力にモーメンタムになるようにしたものである。従って、足指基底部を含む足の甲が、靴の中で支持するほどの力を利用して、靴着用者が力をさらに発揮することができる。すなわち、野球競技で、バッターがバッティングを行うとき、ボールのインパクト時、バッターが自分の足指基底部を含む足の甲を、靴に形成した体重支持部に支持させ、自分の体重を載せてボールのインパクトにさらに力を加えることができ、ゴルフ競技で、ゴルファーがティーショットを行う場合にも、自分の足指基底部を含む足の甲を、ゴルフ靴に形成した体重支持部に支持させてインパクトを行うことができ、自分の足指基底部の支持する力ほどの距離をゲインすることができる。また、ゴルフスイングのフィニッシュ姿勢で、均衡を良好に取ることを可能にするところに重点を置いたゴルフ靴に適用が可能であるか、あるいは上り坂傾斜面で、均衡を良好に取るさせる登山靴や軍靴などの機能靴に適用することができ、、機能靴に、体重支持台と補助支持台とによって構成される体重支持部２１を設置したことを特徴とする。例えば、本発明を、ゴルフ靴に適用した場合、ゴルフスイングのフィニッシュ姿勢で、後に倒れ込む体の重心を、踏み出し足の足の甲と足指との靭帯でもって支持しようと、足指を上に上げる自然な足の支えの形態を妨害せず、その支持する足の形態に順応するゴルフ靴の構造であり、一次的に、フィニッシュ姿勢で、体の均衡を取るのに一助になり、また、このフィニッシュ姿勢で、後に倒れ込む体の重心を、踏み出し足の上に上がった足指の形態を維持しながら、足指基底部ａを含む足の甲で、足甲部に形成した体重支持部に頼って支持することにより、二次的に、均衡を取ることができるようにし、ゴルフスイングで重要なフィニッシュ姿勢での体の均衡を良好に維持させる機能を付与したゴルフ靴で、ゴルフの競技力を向上させる効果がある。または、例えば、本発明を、登山靴や軍靴などに適用した場合、若干の上り坂傾斜面で、後に倒れ込む体重を、足指基底部を含む足の甲で、体重支持部に頼って支持し、体の均衡を正したり、あるいは急傾斜面で、ザイルやワイヤを腕で取って支持する場合、足指基底部を含む足の甲で、足甲部に形成された体重支持部に頼って体を支え、てこの原理でもって体重を支持することにより、腕にかかる力の負担を減らすことができる効果がある。【選択図】          図２
2014515979.tif 000002
【特許請求の範囲】
【請求項１】
足裏全体を支える靴底と、該靴底の周囲全体と噛み合わさった足指、足の甲及びかかとを始めとする足全体を覆い包む靴足甲部と、靴足甲部を足に合うように締めたり緩めたりすることができる靴足甲部締結部と、から構成されるゴルフ靴、登山靴、野球靴、軍靴を一つにまとめる一般的な機能靴において、
前記機能靴の構造を、靴を着用した場合の足指基底部を基準にする境界線ａ’を中心に、境界線の前方である足指側を足指部３０にし、境界線の後方を足甲部２０にし、
靴着用者が上り坂傾斜地を、ザイルやワイヤを握って上るときや、ゴルフスイングのフィニッシュ姿勢で、後に行こうとする靴着用者の体の重心を、踏み出し足の足指に繋がった足甲の靭帯でもって支持するために、踏み出し足の足指が、自然に上に反り上がるとき、上に上がる足指が、既存機能靴の場合でのように、靴足甲部に抑えられて妨害を受けず、上に上がることを可能にする構造でもって足指部の構造を具備し、
境界線ａ’に面する足甲部には、靴着用者が上り坂傾斜地を上る場合や、ゴルフスイングのフィニッシュ姿勢の場合に、後に行こうとする靴着用者の体重を、踏み出し足の足指基底部を含む足の甲に頼って支持させる体重支持台単独で構成されるか、あるいは靴足甲部に形成された体重支持台を、靴着用者の足にさらに密着させる役割を行う補助支持台が共に構成される足指部と区分を明確にする別個の体重支持部を具備し、
前記踏み出し足の足指を、靴足甲部に妨害されず、上に反り上げることを可能にする足指部の構造的条件を具備し、体を支える役割の、反り上げた靴着用者の足の形態を維持しながら、靴着用者の足指基底部を含む足の甲で、機能靴の境界線ａ’に面する足甲部に備えられた別個の体重支持部に頼って体を支持させることを特徴とする体重支持部が備えられた機能靴。
【請求項２】
上に上がる足指を、足指部の靴足甲部に抑えられて妨害を受けず、上に上がらせる構造でもって、機能靴の足指部の構造を具備するにおいて、
足指を上げたとき、爪先が足指部の靴足甲部に妨害されないように、足指部の内部を、十分に広い空間でもって備えることを特徴とする請求項１に記載の体重支持部が備えられた機能靴。
【請求項３】
上に上がる足指を、足指部の靴足甲部に抑えられて妨害を受けず、上に上がらせる構造でもって、機能靴の足指部の構造を具備するにおいて、
反り上がる足指が、靴足甲部に触れても、靴足甲部の抵抗に妨害を受けず、上に容易に上がるように、境界線ａ’に面する足指部の一部分の素材や、足指部の全体の素材を柔らかい素材を使用したことを特徴とする請求項１に記載の体重支持部が備えられた機能靴。
【請求項４】
体重支持台単独で構成されるか、あるいは体重支持台を、靴着用者の足に密着させる役割を行う補助支持台が共に構成される足指部と区分を明確にする別個の体重支持部を足甲部に具備するにおいて、
足甲部の靴足甲部全体や、境界線ａ’に面する一部分を、厚いか、あるいは丈夫な素材で構成するか、あるいは補強して足指部と区分される別個の体重支持台を構成したことを特徴とする請求項１に記載の体重支持部が備えられた機能靴。
【請求項５】
構成される体重支持台の素材として、空気を充填させて膨張させた合成樹脂バッグを使用したことを特徴とする請求項４に記載の体重支持部が備えられた機能靴。
【請求項６】
体重支持台を、空気を注入することができるチューブ状によって構成し、機能靴一側に設けられた空気注入ポンプによって、空気を出し入れすることができるようにし、必要時に空気を入れ、体重支持台として活用することを特徴とする請求項４に記載の体重支持部が備えられた機能靴。
【請求項７】
足指部と区分を明確にする別個の体重支持部を足甲部に具備するにおいて、
靴足甲部の外部で境界線ａ’に面し、足甲部の靴足甲部を覆い包む体重支持台を具備したことを特徴とする請求項１に記載の体重支持部が備えられた機能靴。
【請求項８】
足甲部の外部で境界線ａ’に面し、足甲部の靴足甲部を覆い包む体重支持台を具備するにおいて、
足甲部の靴底の外部一側に境界線ａ’に面し、足甲部の靴足甲部の外部を覆い包むバンド状の体重支持台を形成し、反対側足甲部の靴底の外部一側には、靴底と連結される連結バンドを含む締結具を形成し、該バンド状の体重支持台を引っ張って長さを調節し、締結具に固定させることを特徴とする請求項７に記載の体重支持部が備えられた機能靴。
【請求項９】
靴底と連結されるバンド状の体重支持台一側の末端部、締結具が連結された連結バンドの他端部、及びそれらと連結される靴底の両側部に、それぞれ雄雌の連結構造を有する着脱具を設置し、バンド状の体重支持台及び締結具を、機能靴本体に着脱自在にすることを特徴とする請求項７に記載の体重支持部が備えられた機能靴。
【請求項１０】
足甲部の外部で境界線ａ’に面し、足甲部の靴足甲部を覆い包む体重支持台を具備するにおいて、
足甲部の靴底の外部一側に境界線ａ’に面し、足甲部の靴足甲部の外部を覆い包むバンド状の体重支持台を形成し、反対側足甲部の靴底の外部一側には、該バンド状の体重支持台が差し入れられて通過することができる靴底と連結される止めリングを形成し、体重支持台の端部を、止めリングの内側から外側に通過させた後、さらに反対側に引っ張り込むことにより、体重支持台を、足に圧迫して密着させた後、体重支持台の端部と、その端部が当接する体重支持台の一側とにそれぞれ設置される雄雌一対の結合部材によって結合して固定することを特徴とする請求項７に記載の体重支持部が備えられた機能靴。
【請求項１１】
足甲部に形成された体重支持台を、靴着用者の足にさらに密着させる役割を行う補助支持台を具備するにおいて、
体重支持台が形成された足甲部の外部で、境界線ａ’に面し、足甲部の靴足甲部を覆い包む補助支持台を具備し、該補助支持台を引っ張って固定させることにより、足甲部に形成された体重支持台と共に体重支持部を構成する補助支持台によって形成したことを特徴とする請求項１に記載の体重支持部が備えられた機能靴。
【請求項１２】
足甲部の靴底の外部一側、または足甲部の靴足甲部と靴底とが噛み合わさった一側に、既形成の足甲部の足甲支持台を、靴足甲部の外部で、境界線ａ’に面して覆い包むバンド状の補助支持台を具備し、反対側一側には、靴底と連結される連結バンドを含む締結具を形成し、バンド状の補助支持台を引っ張って長さを調節し、締結具に固定させることを特徴とする請求項１１に記載の体重支持部が備えられた機能靴。
【請求項１３】
足甲部の靴底の外部一側、または足甲部の靴足甲部と靴底とが噛み合わさった一側に、足甲部の靴足甲部に形成された足甲支持台を、靴足甲部の外部で境界線ａ’に面して覆い包むバンド状の補助支持台を具備し、
反対側足甲部の一側には、該バンド状の補助支持台が差し入れられて通過することができる靴底と連結される止めリングを形成し、補助支持台の端部を、止めリングの内側から外側に通過させた後、さらに反対側に引っ張り込むことにより、足に圧迫して密着させた後、補助支持台の端部と、その端部が当接する補助支持台の本体にそれぞれ設置される雄雌一対の結合部材によって結合して固定することを特徴とする請求項１１に記載の体重支持部が備えられた機能靴。
【請求項１４】
バンド状の補助支持台と、締結具、止めリング、及びそれらが転結される機能靴本体の両側部に、それぞれ雄雌の連結構造を有する着脱具を設置し、機能靴本体に着脱自在にすることを特徴とする請求項１３または１４に記載の体重支持部が備えられた機能靴。
【請求項１５】
機能靴本体と独立して、両端部を有したバンド状の補助支持台を具備し、
境界線ａ’に面する足甲部の靴底外部両側には、
本体と独立した補助支持台が差し入れられて通過することができる止めリングをそれぞれ設置し、
境界線ａ’に面し、靴足甲部の体重支持台を覆い包んだ補助支持台の両端を、靴底の両側に設置された止めリングの内側から外側にそれぞれ通過させた後、補助支持台の両端を引っぱることにより、足甲部に形成された体重支持台を、靴着用者の足に圧迫して密着させた後、補助支持台の両端を互いに固定させることを特徴とする請求項１２に記載の体重支持部が備えられた機能靴。
【発明の詳細な説明】
【技術分野】
【０００１】
本発明は、静止状態で、体重が主に後方にかかる分野のスポーツや、かような状況が生じることに従事する人が着用し、踏み出し足の足指基底部を含む足の甲で、機能靴の靴足甲部に構成された体重支持部に頼って体を支持し、後ろに傾く体の均衡を取るのに一助になるか、あるいは足指基底部の支持する力によって、該体重支持部に頼って体を支持し、踏み出し足に体重を載せてパワーを倍加させることができるように発明された機能靴に係り、例えば、ゴルフ化に適用する場合、ゴルフ靴の場合には、乱れのないゴルフスイングの重要な要素である安定したフィニッシュ姿勢を良好に取ることができるように、フィニッシュ動作時に、後ろに行く体重を、ゴルフ靴の靴足甲部に形成された体重支持部に、踏み出し足の足の甲と、足指基底部とで頼って支持させる構造を有したゴルフ靴になり、スイングを行って球をインパクトする競技、すなわち、野球のバッティング動作のインパクト時や、ゴルフ競技でティーショットを行うとき、インパクト動作時に、踏み出し足の足の甲と、足指基底部とで体重支持部に頼って体を支持してインパクトを行うことにより、インパクトの力を倍加させることを可能にするゴルフ靴、野球靴、軍靴などに適用することができる構造を有した機能靴に関する。
【背景技術】
【０００２】
平らな床に、一方の足を付け、片足で立って足の裏を床に付けたまま、体の重心を若干後ろに傾ければ、その体を支えるために、図１のように、足指が上に反り上がり、その足指の支えによって、体は後に倒れないで均衡を取る。
【０００３】
これは、足の甲から足指に繋がっている靭帯でもって、後に倒れ込む体を押さえて支持するために、足指が上に上がる、すなわち、靭帯を収縮させるための本能的な足の動きである。
【０００４】
また、床に一方の足で立ち、体の重心が後に行っても、足指を上に反り上げなければ、足指を上げたときに比べ、体は、すぐに均衡を失い、容易に後に倒れてしまう。
【０００５】
これは、後に倒れようとする体の均衡を取るのに、足指を上に上げる動きがいかに重要であるかということを示している。
【０００６】
地面で、ゴルフ靴を着用せずに、ゴルフスイングのフィニッシュ姿勢を取れば、前述のような理由で、踏み出し足の足指が上に上がる。
【０００７】
ゴルフスイングのフィニッシュ姿勢は、踏み出し足の足裏の方向と直角方向に上体がねじれ、体の重心が後に行こうとするが、前述の通り、後ろに行こうとする体の重心を、この足指で支え、体の均衡を維持する自然な足の動きである。
【０００８】
テントを設置するとき、ポール台をワイヤでしっかりと引っ張り、倒れることを防止するように、ゴルフスイングのフィニッシュ姿勢でも、足指を上に反り上げ、足甲の靭帯を収縮させ、体の均衡を良好に取ろうとする足指が取ることができる最善の姿勢を取るのである。
【０００９】
従って、ゴルフスイングのフィニッシュ姿勢で、踏み出し足の足指が力を入れて上がるのは、フィニッシュ姿勢での体の均衡を維持するのに、非常に重要な要素である。
【００１０】
一方、横になって上体起こしを行うとき、足指を長箪笥や家具の隙間に入れ、足指で支えて上体起こしを行ったりする。
【００１１】
足指で支持させる足の甲に位置するこの靭帯の力は、上体起こしを行うことができるほどに強い。
【００１２】
本発明は、体の重心が後に傾くとき、足指を上げ、体の重心を取ろうとする足指の動きに順応すると同時に、上体起こしを行うことができるほどに、支持する力が強い足指と足の甲とを連結する靭帯の力を利用して、後に傾く体の均衡を取るように発明された機能靴である。
【００１３】
また、足の甲から足指に続いた靭帯が連結されている足指の部分のうち、この靭帯が支持する力を最大に発揮することができる足指基底部が支持させる体重支持部を、機能靴に形成し、この足指基底部の支持する力を利用して、機能靴自体が力のモーメンタムになり、靴着用者に力のゲインを提供することができる。
【００１４】
図７で図９までは、本発明を適用した機能靴の機能と役割との理解の一助とするために、比喩的に示したものであり、図７は、縄の両端を下面に逆Ｕ字型に固定させた様子であり、この縄は、機能靴に備えられた体重支持部を意味する。
【００１５】
図８は、体重支持部を意味する固定された縄に、足指基底部を含む足の甲でもって頼って体を支持する様子である。
【００１６】
既存ゴルフ靴の靴足甲部には、靴紐などで靴足甲部を締めることができる靴足甲部締結部が形成され、主に足と履き物との緩みを締め、足を覆い包む役割のみを行うだけであり、ゴルフスイングのフィニッシュ姿勢で、後ろに体重がかかるゴルファーの体の均衡を取るために、自然に上がる足指部分の先が、靴足甲部に抑えられて上がることができず、既存のゴルフ靴の靴足甲部は、ゴルファーの体の均衡を取らなければならない足の動きにむしろ妨害になった。
【００１７】
また、靴足甲部に抑えられる爪先だけで、完全に体の重心を支える結果になり、ゴルファーの足指は、過負荷になり、その影響で、足指を引き上げる靭帯と、筋肉が連繋されている膝下のふくらはぎと足の甲とが経時的に疲労し、靴足甲部に抑えられる爪先から妨害を受け、全体的にゴルファーの体の均衡が崩れ、ゴルファー自身も感じることができないまま、ゴルフスイングで重要な要素である体のバランス維持が、自分が着用した既存のゴルフ靴によって妨害を受けるという問題点が生じる。
【００１８】
このような既存ゴルフ靴の問題点を改善し、フィニッシュ姿勢での均衡を取ろうとする足の動きの役割に順応し、また、前述の上体起こしを行うことができるようにする足指の靭帯の支持する力を利用して、靴着用者が体の均衡を取るのに、役割をさらに倍加させる機能を有した構造のゴルフ靴の必要性が要求される。
【００１９】
また、既存の普通の野球靴を着用したバッターのバッティング動作で、インパクト動作時に、踏み出し足のかかとを軸に回転動作を行うが（図１３参照）、既存の野球靴では、バッターは、野球靴自体での力のゲインは得られない。
【００２０】
しかし、本発明の構造を野球靴に反映させれば、足指を上げ、足指基底部で体重支持台を支持する動作が、バッターのふくらはぎから足の甲に続いた靭帯と筋肉とを利用して、踏み出し足の足の甲を引き上げる力を倍加させる役割を行わせ、打球の飛距離を画期的に伸ばすことができる力のゲインを得ることができる。
【００２１】
また、急傾斜地で、ザイルやワイヤを握って登山を行うとき、後に傾く体重をワイヤを握った腕で体重を支持するが、前述の原理を適用させた登山靴あるいは軍靴を着用した場合、足の甲と足指基底部とでもって体重支持部に頼って体を支持し、てこの原理でもって体重を支え、腕の負担をはるかに減らすことができる登山靴あるいは軍靴の必要性が要求される。
【発明の概要】
【発明が解決しようとする課題】
【００２２】
本発明は、前記のような諸般の問題点を解決するために提案されたものであり、例えば、本発明をゴルフ靴に適用した場合、前述のゴルフスイングのフィニッシュ姿勢で、ゴルファーの体の重心が後に傾くとき、体の均衡を維持するために、足で起こる自然な足の動き、すなわち、足指に連結されている足甲の靭帯でもって、後に倒れ込む体の重心を支持するために、足指を上に反り上げる動きに、ゴルフ靴の足指部の靴足甲部が妨害にならないようにする構造を有するようにし、またゴルフスイングのフィニッシュ姿勢で、後に傾くゴルファーの体の重心を、足指基底部を含んだ足の甲で、ゴルフ靴の靴足甲部に形成された体重支持台に頼って支持する構造を具備し、体の重心を取るための足指の役割に、ゴルフ靴がさらに力を補助し、ゴルファーが体の均衡を取るのに一助になることを可能にするゴルフ靴などの機能靴を提供する。
【００２３】
靴着用者の足指基底部で、靴足甲部の体重支持部に頼って体を支持するためには、靴着用者の足指を上に上げるのに妨害にならない足指部の構造が、必ず前提にならなければならず、このような足甲部と足指部との相互間に前提される構造が本発明の核心である。
【課題を解決するための手段】
【００２４】
機能靴の構造を、靴を着用した場合の足指基底部を基準にする境界線ａ’を中心に、境界線の前方である足指側を足指部３０とし、境界線の後方を足甲部２０とし、靴着用者が、上り坂傾斜地を、ザイルやワイヤを握って上るときや、ゴルフスイングのフィニッシュ姿勢で、後に行こうとする靴着用者の体の重心を、踏み出し足の足指に繋がった足甲の靭帯でもって、体の重心を支持するために、踏み出し足の足指が自然に上に反り上がるときの上に上がる足指が、既存機能靴の場合でのように、靴足甲部に抑えられて妨害を受けることなしに、上に上がることを可能にする構造でもって、機能靴の足指部の構造を具備し、一方、境界線ａ’に面する足甲部には、靴着用者が、上り坂傾斜地を上る場合や、ゴルフスイングのフィニッシュ姿勢の場合、後に行こうとする靴着用者の体重を、踏み出し足の足指基底部を含む足の甲に頼って支持させる体重支持台単独で構成されるか、あるいは靴足甲部に形成された体重支持台を、靴着用者の足にさらに密着させる役割を行う補助支持台が共に構成される足指部と、区分を明確にする別個の体重支持部を具備し、踏み出し足の足指を、靴足甲部に妨害を受けずに、上に反り上げることを可能にする足指部の構造的条件を具備し、体を支える役割の反り上げた靴着用者の足の形態を維持しながら、靴着用者の足指基底部を含む足の甲で、機能靴の境界線ａ’に面する足甲部に備えられた別個の体重支持部に頼って体を支持させることを課題解決手段にし、
【００２５】
また、前述の上に上がる足指が、足指部の靴足甲部に抑えられて妨害を受けず、上に上がらせる構造でもって、機能靴の足指部の構造を具備するにおいて、足指を上げたとき、爪先が足指部の靴足甲部に妨害されないように、足指部の内部を十分に広い空間でもって備えさせることを課題解決手段にし、
【００２６】
また、前述の上に上がる足指が、足指部の靴足甲部に抑えられて妨害を受けず、上に上がらせる構造で、機能靴の足指部の構造を具備するにおいて、反り上がる足指が、靴足甲部に触れても、靴足甲部の抵抗に妨害を受けず、上に容易に上がるように、境界線ａ’に面する足指部の一部分の素材や、足指部の全体の素材を柔らかい素材を使用したことを課題解決手段にし、
【００２７】
また、前述の上に上がる足指が、足指部の靴足甲部に抑えられて妨害を受けず、上に上がらせる構造で機能靴の足指部の構造を具備するにおいて、反り上がる足指が、靴足甲部に触れても、靴足甲部の抵抗に妨害を受けず、上に容易に上がるように、境界線ａ’に面する足指部の一部分の構造や、足指部の全体の構造を、容易に曲がることができる構造である、蛇腹のしわを入れた構造で構成したことを課題解決手段にし、
【００２８】
また、前述の体重支持台単独で構成されるか、あるいは体重支持台を、靴着用者の足に密着させる役割を行う補助支持台が共に構成される足指部と区分を明確にする別個の体重支持部を足甲部に具備するにおいて、足甲部の靴足甲部全体や、境界線ａ’に面する一部分を、厚いか、あるいは丈夫な素材で構成するか、あるいは補強し、足指部と区分される別個の体重支持台を構成したことを課題解決手段にし、
【００２９】
また、前述の構成される体重支持台の素材を空気を充填させて膨張させた合成樹脂バッグ（bag）を使用したことを課題解決手段にし、
【００３０】
また、前述の体重支持台を、空気を注入することができるチューブ状に構成し、機能靴一側に設けられた空気注入ポンプによって、空気を出し入れすることができるようにし、必要時に、空気を入れて体重支持台として活用させることを課題解決手段にし、
【００３１】
また、前述の足指部と区分を明確にする別個の体重支持部を、足甲部に具備するにおいて、靴足甲部の外部で境界線ａ’に面し、足甲部の靴足甲部を覆い包む体重支持台を具備したことを課題解決手段にし、
【００３２】
また、前述の靴足甲部の外部で境界線ａ’に面し、足甲部の靴足甲部を覆い包む体重支持台を具備するにおいて、足甲部の靴底の外部一側に、境界線ａ’に面し、足甲部の靴足甲部の外部を覆い包むバンド状の体重支持台を形成し、反対側足甲部の靴底の外部一側には、靴底と連結される連結バンドを含む締結具を形成し、該バンド状の体重支持台を締めて長さを調節し、締結具に固定させることを課題解決手段にし、
【００３３】
また、前述の靴底と連結されるバンド状の体重支持台一側の末端部、締結具が連結された連結バンドの他端部、及びそれらと連結される靴底の両側部に、それぞれ雄雌の連結構造を有する着脱具を設置し、体重支持台及び締結具を、機能靴本体に着脱自在にすることを課題解決手段にし、
【００３４】
また、前述の靴足甲部の外部で境界線ａ’に面し、足甲部の靴足甲部を覆い包む体重支持台を具備するにおいて、靴足甲部の靴底の外部一側に、境界線ａ’に面し、足甲部の靴足甲部の外部を覆い包むバンド状の体重支持台を形成し、反対側足甲部の靴底の外部一側には、該バンド状の体重支持台が差し入れられて通過することができる靴底と連結される止めリングを形成し、体重支持台の端部を、止めリングの内側から外側に通過させた後、さらに反対側に引っ張り込むことにより、体重支持台を足に圧迫して密着させた後、体重支持台の端部と、その端部が当接する体重支持台の一側とにそれぞれ設置される雄雌一対の結合部材によって結合して固定することを課題解決手段にし、
【００３５】
また、前述の靴足甲部に形成された体重支持台を靴着用者の足にさらに密着させる役割を行う補助支持台を具備するにおいて、足甲部の靴底の一側に足甲部の境界線ａ’に面し、靴足甲部に形成された体重支持台の外部を覆い包むバンド状の補助支持台を形成し、反対側足甲部の靴底の外部一側には、靴底と連結される連結バンドを含む締結具を形成し、該バンド状の補助支持台を引っ張って長さを調節し、締結具に固定させることにより、靴足甲部に形成された体重支持台と共に、体重支持部を構成する補助支持台によって形成したことを課題解決手段にし、
【００３６】
また、前述の締結具と連結される連結バンドの他端部、靴底と連結されるバンド状の補助支持台一側の末端部、及びそれらと連結される靴底の両側部に、それぞれ雄雌の連結構造を有する着脱具を設置し、締結具とバンド状の補助支持台とを機能靴本体に着脱自在にすることを課題解決手段にし、
【００３７】
また、前述の靴足甲部に形成された体重支持台を、靴着用者の足にさらに密着させる役割を行う補助支持台を具備するにおいて、靴足甲部に形成された境界線ａ’に面する体重支持台と噛み合わさった靴底の外部両側に、機能靴本体と独立して両端部を有したバンド状の補助支持台が差し入れられて通過することができる止めリングをそれぞれ設置し、境界線ａ’に面して体重支持台を覆い包んだ補助支持台の両端を、靴底の両側に設置された止めリングの内側から外側にそれぞれ通過させた後、補助支持台の両端を引っぱることにより、靴足甲部に形成された体重支持台を靴着用者の足に圧迫して密着させた後、補助支持台の両端を互いに締結して固定させることを課題解決手段にする。
【発明の効果】
【００３８】
普通の靴の機能は、主に足の保護が主な機能である。しかし、本機能靴は、前述の通り、家具の隙間に足指を入れ、その足指の支持する力によって、上体起こしを行うことができるように、人の足で力を発揮することができる足指の基底部を力に活用するように、靴自体に足指基底部が支持することができる部分を形成し、靴が力にモーメンタムになるようにした発明である。従って、足指基底部が、靴の中で支持するほどの力を、靴着用者がさらに利用して発揮することができる。
【００３９】
すなわち、野球競技で、バッターがバッティングを行うとき、ボールのインパクト時に、バッターが自分の足指基底部を含む足の甲を、靴に形成された体重支持部に支持させて自分の体重を載せ、ボールのインパクトにさらに力を加えることができ（図１３参照）、ゴルフ競技で、ゴルファーがティーショットを行う場合にも、自分の足指基底部を含む足の甲を、ゴルフ靴に形成した体重支持部に支持させてインパクトを行うことができ、自分の足指基底部を含む足の甲の支持する力ほどの距離をゲインすることができる（図１０参照）。ゴルフ競技で、さらに長い飛距離が切に要求するゴルファーが、該機能が反映されたゴルフ靴を着用する場合、さらに長い飛距離を得ることができるであろう。
【００４０】
また、本発明による体重支持部が適用されたゴルフ靴は、ゴルフスイングのフィニッシュ姿勢で、後ろに倒れ込む体の重心を、足指に連結されている足甲の靭帯でもって支えようとする足の形態に順応する足指部３０の構造でもって、体の均衡を良好に取らせ、体を支持しようとする足指の形態を維持したまま、足の甲及び足指基底部で、足甲部に形成された体重支持部に頼って体を支持させる構造でもって、ゴルフ競技の実体であるゴルフスイングで、体の均衡を取らせるのに大きな役割を行い、競技力を向上させる効果がある（図１１、図１２参照）。
【００４１】
また、本機能靴の構造が適用されたゴルフ靴は、フェアウェーでの先方上り坂傾斜でショットを行うとき、該体重支持部を、足指基底部と足の甲とで支え、後ろに行こうとする体の均衡を容易に取ることを可能にする効果もある。
【００４２】
また、本発明による体重支持部が設置された登山靴や軍靴の場合、急傾斜をザイルやワイヤを握って登山を行うとき、後ろに行こうとする体重をザイルやワイヤを握った腕でもって体重を支持するが、体重支持部が備えられた登山靴の場合、足指基底部を含む足の甲で、体重支持部を支えることにより、腕の体重負担を分担することができる（図１４参照）。
【図面の簡単な説明】
【００４３】
【図１】体重が後に行こうとするとき、足の甲から足指に繋がっている靭帯を収縮させ、後ろに行こうとする体の均衡を取るために、足指が上がって支えている様子を示した斜視図である。
【図２】機能靴の構造と、着靴時の足の位置とを透視した斜視図である。
【図３】体重支持台の構造と、足指の置かれるところとを示した部分断面図である。
【図４】足指基底部を含む足の甲で、体重支持台に頼って体を支える様子を示した一部分透視図である。
【図５】靴足甲部に体重支持台を形成した機能靴の斜視図である。
【図６】図５の右側面図である。
【図７】本発明を適用した機能靴の機能と役割との理解を助けるために、比喩的に示したものであり、縄の両端を底に逆Ｕ字型で固定させた様子であり、該縄は、機能靴に備えられた体重支持部を意味するところの図面である。
【図８】本発明を適用した機能靴の機能と役割との理解を助けるために、比喩的に示したものであり、足指基底部を含む足の甲で、底に固定された縄に頼って体を支える様子であり、機能靴に備えられた体重支持部に頼って体を支える本発明の趣旨と原理とを理解しやすく示した図面である。
【図９】本発明を適用した機能靴の機能と役割との理解を助けるために、比喩的に示した図面である。
【図１０】各分野で、本発明が反映された機能靴を着用し、その分野で本発明の有用さを一例で示した図面であり、図面内の点線の丸は、靴着用者が本発明が反映された機能靴の機能を利用する場合を示し、ゴルフ競技でのインパクト場面の図面である。
【図１１】各分野で、本発明が反映された機能靴を着用し、その分野で本発明の有用さを一例で示した図面であり、図面内の点線の丸は、靴着用者が本発明が反映された機能靴の機能を利用する場合を示し、ゴルフ競技でのフィニッシュ姿勢の図面である。
【図１２】各分野で、本発明が反映された機能靴を着用し、その分野で本発明の有用さを一例で示した図面であり、図面内の点線の丸は、靴着用者が本発明が反映された機能靴の機能を利用する場合を示し、ゴルフ競技でのフィニッシュ姿勢の図面である。
【図１３】各分野で、本発明が反映された機能靴を着用し、その分野で本発明の有用さを一例で示した図面であり、図面内の点線の丸は、靴着用者が本発明が反映された機能靴の機能を利用する場合を示し、野球競技で、バッターがバッティングする場面の図面である。
【図１４】各分野で、本発明が反映された機能靴を着用し、その分野で本発明の有用さを一例で示した図面であり、図面内の点線の丸は、靴着用者が本発明が反映された機能靴の機能を利用する場合を示し、山登り時に、急傾斜地でワイヤやザイル握って立っている場面の図面である。
【発明を実施するための形態】
【００４４】
本発明の内容説明に先立ち、体重支持台２２（図３）は、足指部とは別個に、足甲部２０（図２）に備えられたものであり、足の甲及び足指基底部で、該体重支持台に頼って体重を支持する部位であり、補助支持台は、備えられた該体重支持台の役割を強化するために、足甲部に備えられたものであり、該体重支持台を足に密着させる補助手段である。
【００４５】
体重支持台２２が単独に具備されるか、あるいは体重支持台２２と補助支持台とが共に具備されて体重支持部２１を構成する。すなわち、体重支持部２１は、体重支持台２２と補助支持台とを包括する概念である。
【００４６】
本明細書で、「足指基底部」とは、足の甲（中足骨）と足指（指骨）とを連結する関節と位置的に近い足指の部分をいう。
【００４７】
本発明の望ましい実施形態による２１体重支持部が設置された機能靴について、添付された図面に基づいて詳細に説明する。
【００４８】
機能靴の構造について本発明の内容を説明するが、便宜上、図２でから分かるように、例えば、ゴルフ靴、登山靴、野球靴あるいは軍靴をまとめていう機能靴を着用した場合の足指の基底部ａを基準にする境界線ａ’を中心に、境界線の前方である足指側を足指部３０にし、境界線の後方を足甲部２０とする。
【００４９】
本発明の核心は、後ろに行こうとする体重を、踏み出し足の足甲の靭帯でもって支持するための本能的な足の動きの姿勢である、足指を上に上げて支える姿勢を維持すると同時に、足の甲及び足指基底部で、足甲部に形成された体重支持台に頼って体を支えるものであるので、必ず足指を、靴足甲部に妨害を受けず、上に上げる足指部の構造が必須である。
【００５０】
従って、足指部の靴足甲部３１（図３）は足指が上に上がるにおいて、靴足甲部に抵抗を受けないように、足指を上げるほどの内部空間の余裕をおき、上げる足指が靴足甲部に妨害されないようにするか、あるいは足指が靴足甲部に触れても、足指が抵抗を感じることなしに、上に上げることができるように、足指部の素材を柔らかい素材で選択して使用しなければならない。
【００５１】
体重支持部２１を構成する体重支持台２２は、足指部と境界を明確にし、別個に形成される部分であり、例えば、ゴルフスイングのフィニッシュ姿勢で、後に倒れ込む体の重心を、足指基底部ａを含んだ足甲部分に頼って体を支持する部分であるので、その役割を勘案し、境界線ａ’を含む足甲部側に、靴足甲部に面した内側か、または靴足甲部に面した側に、靴足甲部を補強するか、あるいは足甲部自体の素材を、ボリューム感ある素材を使用して、体重を十分に支えることができるように、厚くて丈夫に支持台を構成する（図３、図４参照）。
【００５２】
体重支持部２１を構成する体重支持台２２を別個に形成するにあたり、他の方法として、靴足甲部の外部に形成するのである。すなわち、足の甲を覆うバンド状の体重支持台を作り、足甲部の靴底の外部一側に設置し、機能靴の境界線ａ’に面する靴足甲部の外部の足甲部を過ぎ、体重支持台の端部を引っ張って締めた後、反対側の靴底の一側に形成した締結具に固定する形態で、機能靴の靴足甲部の外部で、境界線ａ’に面した足甲部を覆い包む形態の別個の体重支持台を形成することもできる。
【００５３】
かように、靴足甲部外部に体重支持台が設置される場合の足指部の構造は、前述の足指部の２つの構造の形態のうち、足指を上に上げるのに妨害にならない柔らかい素材で足指部を構成する形態が望ましい。
【００５４】
また、前述の足指部の２つの構造のうち残りの１つの形態である、足指が上に上がるにあたり、靴足甲部に抵抗を受けないように、足指を上げるほどの内部空間の余裕をおき、上げる足指が靴足甲部に妨害されないようにする方法は、登山靴や軍靴のように、靴の靴足甲部が強くなければならない場合に適用される。
【００５５】
該体重支持台が形成された機能靴の役割である、体重を支える機能と共に、他の非常に重要な長所は、体重を支えるとき、爪先が先に靴足甲部に触れることを防ぐ役割である。
【００５６】
すなわち、通常の、体重支持台のない機能靴でのように、体重が後に行こうとするとき、爪先が先に機能靴の靴足甲部に触れ、爪先で体重を支持する様子になし、足指に無理な力がかかり、結局、足全体が疲れることを、足指が靴足甲部に触れる前に、まず足の甲及び足指基底の部位で体重支持台に頼って体を支えることにより、一般ゴルフ靴でのように、足指だけで体重を頼ることを防ぐのである。
【００５７】
このように体重を支持することにより、爪先部分が除かれることにより、足が疲労することなく、快適なコンディションを維持してゴルフ競技が行うことができるのである。
【００５８】
足甲部の靴足甲部に形成された体重支持台を、さらに足に緊密に密着させるように、足甲部の外部靴底の一側に、体重支持台と共に、体重支持部を構成するバンド状の補助支持台を付着させ、反対側の一側に形成した締結具に、バンド状の補助支持台の端部を引っ張って締めて固定することにより、体重支持台を、足にさらに密着させ、足指基底部を含んだ足甲部分で体重を支える体重支持台の役割を強化させることも可能である。すなわち、補助支持台は、前述の機能靴の外部に設置されたバンド状の体重支持台の設置された場合ではない機能靴の靴足甲部に設置された体重支持台を、足にさらに締めて密着させる機能を行うことにより、靴足甲部に備えられた体重支持台の機能を補強するために設置されるのである。
【００５９】
また、前述の補助支持台を、ゴルフ靴などの機能靴に、着脱自在にすることにより、靴足甲部に形成された体重支持台と噛み合わさった靴底の外部両側に、機能靴本体と独立した両端部を有した補助支持台が差し入れられ、通過することができる止めリングをそれぞれ設置し、一側の止めリングの外側から内側に、補助支持台を通過させ、体重支持台の外部の足甲部分を過ぎ、さらに他側の止めリングを、内側から外側に通過させ、その補助支持台の両端を引っ張ることにより、体重支持台の機能を強化させて機能靴を着用することを可能にするか、あるいは補助支持台なしにも競技が行うことを可能にする。
【００６０】
靴底においては、踏み出し足に体重が載せられ、体重が載せられた踏み出し足は、靴底を押し、体重が載せられた靴底に連結された体重支持台を、足指基底部を含む足の甲で支え、後ろに行こうとする体重を支えるものであるので、靴底は、ある程度の体重を支持することができる素材と構造とが要求される。
【００６１】
以上、本発明について、望ましい実施形態に基づいて説明したが、本発明は、前記実施形態に限定されるものではなく、本発明の技術的思想の範囲内で、この技術分野で当業者によって、さまざまな変形が可能であろう。
【図１】
2014515979.tif 000003
【図２】
2014515979.tif 000004
【図３】
2014515979.tif 000005
【図４】
2014515979.tif 000006
【図５】
2014515979.tif 000007
【図６】
2014515979.tif 000008
【図７】
2014515979.tif 000009
【図８】
2014515979.tif 000010
【図９】
2014515979.tif 000011
【図１０】
2014515979.tif 000012
【図１１】
2014515979.tif 000013
【図１２】
2014515979.tif 000014
【図１３】
2014515979.tif 000015
【図１４】
2014515979.tif 000016
【国際調査報告】
2014515979.tif 000017
2014515979.tif 000018
2014515979.tif 000019
2014515979.tif 000020